(57)【要約】【課題】  ボタンを１回押すだけの操作で、時間（時刻）設定やタイマ確認などの煩わしい操作を必要とすることなくタイマ予約を行えるようにする。【解決手段】  リモコン３の切タイマボタン３ａ，入タイマボタン３ｂのいずれかを１回押すと、電気機器（例えばエアコン）の制御回路１はその選択されたタイマモードに移行し、切タイマ設定である場合には予め設定されているＡ時間（例えば３０分）の間人検知センサ５により在室者が検知されないときに切タイマ動作によりエアコンの運転を停止する。入タイマ設定である場合には、Ｃ時間（例えば３時間）の経過後で人検知センサ５により在室者が検知されたときに入タイマ動作によりエアコンの運転を開始する。【選択図】  図１
2005214480.tif 000002
【特許請求の範囲】
【請求項１】
少なくとも所定時間後に運転を停止するための切タイマ手段を有するリモコンと、上記リモコンからの制御信号に応じて電気機器を制御する制御手段と、上記電気機器が設置される室内を監視領域とする人検知手段とを含む電気機器の制御装置において、
上記リモコンの切タイマ手段より切タイマ信号が出力されると、上記制御手段は切タイマモードに移行するとともに上記人検知手段から出力される反応信号を監視し、所定時間の間継続して上記人検知手段から反応信号が得られない場合に、その時点で上記電気機器の運転を停止することを特徴とする電気機器の制御装置。
【請求項２】
少なくとも所定時間後に運転を停止するための切タイマ手段を有するリモコンと、上記リモコンからの制御信号に応じて電気機器を制御する制御手段と、上記電気機器が設置される室内を監視領域とする人検知手段とを含む電気機器の制御装置において、
上記リモコンの切タイマ手段より切タイマ信号が出力されると、上記制御手段は切タイマモードに移行するとともに上記人検知手段から出力される反応信号を監視し、所定時間Ａの間継続して上記人検知手段から反応信号が得られない場合には所定の報知手段を動作させて切タイマ動作予告を行い、さらに所定時間Ｂ（Ｂ＜Ａ）の間上記人検知手段から反応信号が得られない場合には、その時点で上記電気機器の運転を停止することを特徴とする電気機器の制御装置。
【請求項３】
上記所定時間Ｂの間に上記人検知手段から反応信号が得られた場合には、当初の上記切タイマモードに戻ることを特徴とする請求項２に記載の電気機器の制御装置。
【請求項４】
少なくとも所定時間後に運転を開始するための入タイマ手段を有するリモコンと、上記リモコンからの制御信号に応じて電気機器を制御する制御手段と、上記電気機器が設置される室内を監視領域とする人検知手段とを含む電気機器の制御装置において、
上記リモコンの入タイマ手段より入タイマ信号が出力されると、上記制御手段は入タイマモードに移行して所定時間Ｃが経過するまで上記人検知手段から反応信号が出力されたとしても同反応信号を無視して上記電気機器の運転を停止状態に維持し、上記所定時間Ｃ経過後に上記人検知手段により反応信号が得られた場合に、その時点で上記電気機器の運転を開始することを特徴とする電気機器の制御装置。
【請求項５】
少なくとも所定時間後に運転を開始するための入タイマ手段を有するリモコンと、上記リモコンからの制御信号に応じて電気機器を制御する制御手段と、上記電気機器が設置される室内を監視領域とする人検知手段とを含む電気機器の制御装置において、
上記リモコンの入タイマ手段より入タイマ信号が出力されると、上記制御手段は入タイマモードに移行して所定時間Ｃが経過するまで上記人検知手段から反応信号が出力されたとしても同反応信号を無視して上記電気機器の運転を停止状態に維持し、上記所定時間Ｃ経過後に所定時間Ｄ（Ｄ＜Ｃ）ごとに上記人検知手段から出力される反応信号を監視して同反応信号を計数し、その計数値が所定回数に達した時点で上記電気機器の運転を開始することを特徴とする電気機器の制御装置。
【請求項６】
上記所定時間Ｃ経過後に所定の報知手段を動作させて入タイマ動作予告を行うことを特徴とする請求項５に記載の電気機器の制御装置。
【請求項７】
上記反応信号を所定回数まで計数する際に、上記時間Ｄごとに連続して計数されない場合には上記所定時間Ｃ経過後の処理に戻ることを特徴とする請求項５または６に記載の電気機器の制御装置。
【発明の詳細な説明】
【技術分野】
【０００１】
本発明は、電気機器とりわけ空気調和機に好適なリモコン制御技術に関し、さらに詳しく言えば、人検知センサを利用して切タイマや入タイマの設定を簡単に行えるようにした電気機器の制御装置に関するものである。
【背景技術】
【０００２】
タイマ機能を搭載した電気機器は種々提案されているが、空気調和機を例にして説明すると、そのタイマ機能には主として切タイマと入タイマがある。このタイマの設定にはリモコンが用いられるが、その操作はまずタイマの種類（切タイマ，入タイマの別）を選択するボタン操作を行い、次にタイマの動作時間あるいは動作時刻を設定するボタン操作を行い、最後にタイマ確認のボタン操作を行うことによってタイマ予約が完了する。
【０００３】
このタイマ機能によれば、例えば冬季の就寝に際してリモコンで入タイマ時間（あるいは時刻）を設定することにより、起床時に暖房運転を開始することから目覚め時に室内を暖めることができる。また、夏季の就寝に際しては切タイマ時間（あるいは時刻）を設定することにより、その設定時間に冷房運転を停止することから例えば就寝時における身体の冷え過ぎなどを防止することができる。
【０００４】
ところで、切タイマでは設定時間後にエアコンの運転が停止され、入タイマでは設定時間後にエアコンの運転が開始されるが、例えば切タイマ設定時にまだ人が在室しているにもかかわらずエアコンが停止してしまい室内が不快な温度になることがある。このような場合、再度リモコンを操作してエアコンを運転したり、切タイマを設定し直さなければならないという煩わしさがある。
【０００５】
このようなことから、例えば焦電センサなどの人検知センサによる機能を切タイマの機能と併用させて、実際のタイマ設定にかかわらず室内で人が活動しているかぎり快適性を保てる方法が提案されている（例えば、特許文献１参照）。
【０００６】
すなわち、特許文献１の発明ではリモコンによって切タイマが設定された場合、人検知センサからの反応信号があり、かつ、室内環境が所定条件を満たしたときに初めてタイマをスタートするようにしている。
【０００７】
これによれば、例えば使用者が就寝するために照明を消した後に切タイマがスタートすることになるため、確率的に使用者が寝入ってからエアコンの運転が停止されることになり上記の問題点を解決することができる。
【０００８】
【特許文献１】特開平５―３３７９６号公報
【発明の開示】
【発明が解決しようとする課題】
【０００９】
しかしながら、特許文献１の発明を含めてリモコンによってタイマ設定するには、タイマ種類（入タイマ，切タイマの別）の選択，時間（時刻）設定およびタイマ確認の操作を行わなければならず、特に高齢者にとってはその操作が煩わしいことに変わりはない。なお、機種によってはタイマ確認の操作が不要な場合があるが、それでも２回にわたってボタン操作を行う必要がある。
【００１０】
したがって、本発明の課題は、所定時間後に運転を停止したい場合には切タイマボタンを１回押すだけ、また、所定時間後に運転を開始したい場合にも入タイマボタンを１回押すだけでよく、時間（時刻）設定やタイマ確認などの煩わしい操作を必要とすることなくタイマ予約を行えるようにすることにある。
【課題を解決するための手段】
【００１１】
上記課題を解決するため、請求項１の発明は、少なくとも所定時間後に運転を停止するための切タイマ手段を有するリモコンと、上記リモコンからの制御信号に応じて電気機器を制御する制御手段と、上記電気機器が設置される室内を監視領域とする人検知手段とを含む電気機器の制御装置において、上記リモコンの切タイマ手段より切タイマ信号が出力されると、上記制御手段は切タイマモードに移行するとともに上記人検知手段から出力される反応信号を監視し、所定時間の間継続して上記人検知手段から反応信号が得られない場合に、その時点で上記電気機器の運転を停止することを特徴としている。
【００１２】
請求項２の発明は、少なくとも所定時間後に運転を停止するための切タイマ手段を有するリモコンと、上記リモコンからの制御信号に応じて電気機器を制御する制御手段と、上記電気機器が設置される室内を監視領域とする人検知手段とを含む電気機器の制御装置において、上記リモコンの切タイマ手段より切タイマ信号が出力されると、上記制御手段は切タイマモードに移行するとともに上記人検知手段から出力される反応信号を監視し、所定時間Ａの間継続して上記人検知手段から反応信号が得られない場合には所定の報知手段を動作させて切タイマ動作予告を行い、さらに所定時間Ｂ（Ｂ＜Ａ）の間上記人検知手段から反応信号が得られない場合には、その時点で上記電気機器の運転を停止することを特徴としている。
【００１３】
請求項３の発明は、上記所定時間Ｂの間に上記人検知手段から反応信号が得られた場合には、当初の上記切タイマモードに戻ることを特徴としている。
【００１４】
請求項４の発明は、少なくとも所定時間後に運転を開始するための入タイマ手段を有するリモコンと、上記リモコンからの制御信号に応じて電気機器を制御する制御手段と、上記電気機器が設置される室内を監視領域とする人検知手段とを含む電気機器の制御装置において、上記リモコンの入タイマ手段より入タイマ信号が出力されると、上記制御手段は入タイマモードに移行して所定時間Ｃが経過するまで上記人検知手段から反応信号が出力されたとしても同反応信号を無視して上記電気機器の運転を停止状態に維持し、上記所定時間Ｃ経過後に上記人検知手段により反応信号が得られた場合に、その時点で上記電気機器の運転を開始することを特徴としいる。
【００１５】
請求項５の発明は、少なくとも所定時間後に運転を開始するための入タイマ手段を有するリモコンと、上記リモコンからの制御信号に応じて電気機器を制御する制御手段と、上記電気機器が設置される室内を監視領域とする人検知手段とを含む電気機器の制御装置において、上記リモコンの入タイマ手段より入タイマ信号が出力されると、上記制御手段は入タイマモードに移行して所定時間Ｃが経過するまで上記人検知手段から反応信号が出力されたとしても同反応信号を無視して上記電気機器の運転を停止状態に維持し、上記所定時間Ｃ経過後に所定時間Ｄ（Ｄ＜Ｃ）ごとに上記人検知手段から出力される反応信号を監視して同反応信号を計数し、その計数値が所定回数に達した時点で上記電気機器の運転を開始することを特徴としている。
【００１６】
請求項６の発明は、上記所定時間Ｃ経過後に所定の報知手段を動作させて入タイマ動作予告を行うことを特徴としている。
【００１７】
請求項７の発明は、上記反応信号を所定回数まで計数する際に、上記時間Ｄごとに連続して計数されない場合には上記所定時間Ｃ経過後の処理に戻ることを特徴としている。
【発明の効果】
【００１８】
請求項１の発明によれば、使用者がリモコンの切タイマボタンを１回押すだけでタイマ時間の設定をしなくても切タイマを予約することができ、しかも人検知センサにより在室者の有無を判断して在室者の居なくなったこと（就寝の場合も含む）を見計らって自動的に切タイマ動作により電気機器の運転を停止することから、リモコンによるタイマ設定操作が極めて簡単であり、特に高齢者には面倒で複雑な操作を行わずに済むとともに、最適な時間に切タイマを動作させることができる。
【００１９】
請求項２および請求項３の発明によれば、電気機器が空気調和機の場合には上記効果に加え、上記タイマ予約により切タイマを動作させてもよいかを問うことから、例えば在室者が就寝のため切タイマを設定し所定時間Ａの間布団の中で動かなかった場合、人検知センサによる在室者の検知がなされないために切タイマを動作させようとするが、その在室者がまだ寝付いていな場合には布団の中で大きく動けば、切タイマ動作を回避して延長することができタイマ機能の向上が図られる。
【００２０】
請求項４の発明によれば、使用者がリモコンの入タイマボタンを１回押すだけでタイマ時間の設定をしなくても入タイマを予約することができる。この場合、所定時間Ｃ（例えば３時間）の間は人検知手段から反応信号が出力されたとしても同反応信号を無視して電気機器（好適には空気調和機）の運転を停止状態に維持し、上記所定時間Ｃ経過後に人検知手段により反応信号が得られた場合に、その時点で電気機器の運転を開始するようにしたことにより、複雑なボタン操作を行うことなく適正な時間（時刻）に入タイマを動作させることができる。
【００２１】
また、請求項５の発明によれば、上記所定時間Ｃ経過後に所定時間Ｄ（Ｄ＜Ｃ，例えば１０秒）ごとに人検知手段から出力される反応信号を監視して同反応信号を計数し、その計数値が所定回数に達した時点で運転を開始するようにしたことにより、人の存在を確実に検知したうえで空気調和機などを正確に運転させることができる。この場合、請求項６の発明のように、上記所定時間Ｃ経過後に所定の報知手段を動作させて入タイマ動作予告を行うことにより本当に人がいるかどうかを正確に判断することができる。
【００２２】
請求項７の発明によれば、上記反応信号を所定回数まで計数する際に、上記時間Ｄごとに連続して計数されない場合には上記所定時間Ｃ経過後の処理に戻る、すなわち１度でも在室者の検知がなされないときには、トイレに行くもしくは寝返りをうったなどの突発的な動きであると判断して入タイマ動作を行わないことから、不必要な運転を回避することができ省エネルギの向上が図られる。
【発明を実施するための最良の形態】
【００２３】
本発明の電気機器の制御装置は、切タイマや入タイマを設定するリモコンにワンプッシュのボタンを配置してなり、そのボタンの操作により人検知手段をもって電気機器の設置室内の在室者を検知して監視し、切タイマの設定にあっては所定時間Ａ経過しても在室者の検知がなされないときには電気機器の運転を停止し、入タイマの設定にあっては所定時間Ｃ経過後に在室者が検知されたときには電気機器の運転を開始するようにし、切タイマや入タイマの設定をワンプッシュで簡単に行えるようにしてなる。
【００２４】
図１は本発明を空気調和機に適用した場合のブロック図で、その制御装置としての室内機側制御回路１および室外機側制御回路２はともにマイクロコンピュータからなり、室温コントロールに必要な制御を行う一方、リモコン３によって予め入タイマや切タイマが設定されていればそれらの機能を実行する。
【００２５】
この例において、リモコン３にはワンプッシュ式の独立した２個の切タイマボタン３ａと入タイマボタン３ｂとが設けられているが、プッシュ式に代えてシーソースイッチやスライドスイッチが用いられてもよい。リモコン３にはこのほかに運転モード選択ボタンや風量設定ボタンなど通常のリモコンが備えている各種のファンクションボタンが設けられているが、これらは本発明の要旨でないため特には図示しない。
【００２６】
室内機側制御回路１にはリモコン３からの制御信号のほかに、室温センサ４からの室温信号と、室内を監視領域とする人検知センサ５からの反応信号とが入力される。室内機側制御回路１は切タイマ時間や入タイマ時間などを計時するタイマ部１ａおよび上記反応信号の出現回数を計数するカウンタ部１ｂを備えている。
【００２７】
人検知センサ５には焦電センサが好ましく採用されるが、本発明においては、就寝中の寝返り程度の動きは検知せず、例えば布団から起きあがる程度の動きは確実に検知する検知精度を有するものが用いられる。
【００２８】
室内機側制御回路１は室内ユニット内の室内ファン６および風向板７を駆動するとともに、その前面パネルに設けられている本体表示部８によりに空気調和機の運転状況を表示し、また、タイマの予告動作などをブザー９により報知する。室外機側制御回路２は、室外ユニットの室外ファン１０や冷凍サイクル１１に含まれる圧縮機，四方弁，電子膨張弁などを制御する。
【００２９】
次に、この実施例について本発明の動作を図２および図３のフローチャートを参照して説明する。なお、図２は切タイマ選択時のフローチャートであり、図３は入タイマ選択時のフローチャートである。
【００３０】
まず、室内機側制御回路１は、リモコン３の設定にしたがって空気調和機を運転しているときに、リモコン３によるタイマモードが選択されたか否かを判断し（ステップＳＴ１）、タイマモードが選択されたときには、そのタイマモードが切タイマボタン３ａによるものかを判断する（ステップＳＴ２）。
【００３１】
それが切タイマボタン３ａによるものである場合、切タイマモードに移行して人検知センサ５からの反応信号を監視して在室者を検知する処理を開始し（ステップＳＴ３）、その反応信号により在室者が検知されたか否かを判断する（ステップＳＴ４）。
【００３２】
在室者が例えば就寝するため切タイマボタン３ａを操作したものの、未だ就寝せずに動き回っていて在室者が検知されれば運転状態を維持して切タイマの動作に入らない。在室者が寝付いて反応信号がなくなれば、タイマ部１ａに設定されているＡ時間タイマ（例えば３０分タイマ）をスタートする（ステップＳＴ５）。なお、Ａ時間タイマの時間は例えばリモコン３に設けられている図示しない時間設定ボタンにより任意に設定することができる。
【００３３】
Ａ時間タイマのスタート後、再度人検知センサ５により在室者が検知されたか否かを判断する（ステップＳＴ６）。在室者が検知されれば上記Ａ時間タイマをリセットし（ステップＳＴ７）、ステップＳＴ４に戻って上述した処理を繰り返す。すなわち、所定時間Ａ（３０分）の間に、在室者がトイレなど行ったり寝付けずに大きい動きがあれば空気調和機の運転状態を維持して切タイマの動作に入らない。
【００３４】
これに対して、在室者の就寝により人検知センサ５より反応信号が出力されず、その無出力時間が所定時間Ａ（３０分）継続したかどうか、すなわちＡ時間タイマがタイムアップしたかどうかを判断し（ステップＳＴ８）、タイムアップしていなければステップＳＴ６に戻りＡ時間タイマがタイムアップするまで在室者を監視する。
【００３５】
そして、人検知センサ５より反応信号が出力されることなく、Ａ時間タイマがタイムアップすると、在室者が就寝したものと判断して本体表示部８のＬＥＤ（発光ダイオード）を点灯するとともに、ブザー９を鳴らして切タイマの予告動作を行い（ステップＳＴ９）、タイマ部１ａのＢ時間タイマ（例えば３０分より遙かに短い１分タイマ）をスタートする（ステップＳＴ１０）。なお、上記予告動作時間は在室者などに対して確認可能程度に止めることが好ましい。
【００３６】
Ｂ時間（１分）タイマがタイムアップするまで、人検知センサ５により在室者が検知されたか否かを判断する（ステップＳＴ１１）。この間に、例えば在室者がトイレなどに行ったとき、あるいは切タイマの動作により運転を停止させたくない理由で床の中で大きく動いたときには、在室者が検知されるためＢ時間（１分）タイマをリセットし（ステップＳＴ１２）、ステップＳＴ４に戻って上述した処理を繰り返し、切タイマ動作を延長させて在室者を再び監視する。
【００３７】
そして、上記所定時間Ａおよび所定時間Ｂの間に在室者が検知されず、Ｂ時間（１分）タイマがタイムアップすると、ステップＳＴ１３からステップＳＴ１４に進み切タイマ動作により空気調和機の運転を停止する。
【００３８】
このように、切タイマボタン３ａをワンプッシュ（１回操作）するだけで自動的に切タイマが動作させることでき、特に高齢者にとって極めて便利である。また、予告動作を行うことにより、在室者に切タイマ動作を行ってもよいかを確認することから、在室者の行動に合わせた時間に切タイマが動作し利便性にも優れている。
【００３９】
なお、上記ステップＳＴ１４で空気調和機の運転を停止した以降において人検知センサ５により在室者が検知された場合でも運転を停止したままとする。すなわち、せっかく切タイマによって運転を停止させたにもかかわらず、不必要に運転を行うことは省エネルギの観点から好ましくなく、また例えば就寝している在室者にとって運転による室内環境の変化は好ましくないからである。
【００４０】
次に、図３を参照して、入りタイマボタン３ｂが選択された場合の動作について説明する。例えば外出時や就寝時に入タイマボタン３ｂを操作したとすると、ステップＳＴ２からＳＴ１５に進み、タイマ部１ａのＣ時間タイマをスタートさせ入タイマのスタンバイ状態とする（ステップＳＴ１６）。
【００４１】
この例においてＣ時間タイマは３時間タイマであるが、この時間は任意に設定することができる。例えば、起床時に空気調和機を運転させたいような場合には睡眠時間に合わせた時間とすればよい。また、外出時には帰宅時間に合わせた時間とすればよい。
【００４２】
Ｃ時間（３時間）の経過後に、人検知センサ５からの反応信号を監視して在室者を検知する処理を開始し（ステップＳＴ１７）、その反応信号により在室者が検知されたか否かを判断する（ステップＳＴ１８）。なお、Ｃ時間タイマのタイムアップ後に上記反応信号の監視を開始するのではなく、Ｃ時間タイマがタイムアップするまでは人検知センサ５からの反応信号を無視するようにしてもよい。
【００４３】
Ｃ時間（３時間）が経過しても人検知センサ５からの反応信号がない場合（不在もしくは就寝中）には、依然としてその監視を継続する。そして、人検知センサ５により在室者が検知されると、本体表示部８のＬＥＤを点灯し、またブザー９を鳴らすといった予告動作を行う（ステップＳＴ１９）。この入タイマ予告動作は上記切タイマモードと同じであってよい。
【００４４】
在室者の有無を確認するためにＤ時間（この例では１０秒）待機した後（ステップＳＴ２０）、再度人検知センサ５により在室者が検知されたか否かを判断し（ステップＳＴ２１）、このとき在室が確認されなければ、ステップＳＴ１８に戻って上述した処理を繰り返し在室者の活動を確認する。
【００４５】
人検知センサ５により在室者が検知されると、カウンタ部１ｂのカウント値Ｎをインクリメントし（ステップＳＴ２２）、そのカウント値Ｎが所定値（この例では６）になったか否かを判断する（ステップＳＴ２３）。カウント値Ｎが６になっていなければ、ステップＳＴ２０に戻って上述した処理を繰り返す。
【００４６】
人検知センサ５により在室者が連続して６回検知されなければ、ステップＳＴ１８に戻って上述した処理を繰り返す。すなわち、在室者が連続して６回検知されないときには、例えば就寝時にトイレに行くために起きあがったりあるいは就寝中に大きな寝返りをした場合など突発的な動きであると判断し、入タイマを動作させず待機状態を維持する。
【００４７】
これに対して、人検知センサ５により在室者が連続して６回検知されると、在室状態であると判断してステップＳＴ２３からステップＳＴ２４に進み、入タイマ動作により空気調和機の運転（例えば暖房運転もしくは冷房運転）を開始する。
【００４８】
このように、入タイマモード時には在室者を確認してから運転開始ということになるため、不必要な運転を回避することができ省エネルギの観点からも極めて好ましい。また、入タイマボタン３ｂを１回操作すればよいことから、上述した切タイマと同じ効果を得ることができる。
【００４９】
なお、上記実施例では焦電センサなどの人検知センサ５を用いて在室者を検知するようにしているが、音声認識装置を利用して在室者から発せられる音声により在室者の有無を検知するようにしてもよい。さらに発展させて使用者の音声を分析し、例えば「切タイマオン」「入タイマオン」などの音声による指示によりタイマ動作を行うようにすれば、リモコンの操作なしにタイマ設定ができ利便性がより向上することになる。
【産業上の利用可能性】
【００５０】
本発明によれば、電気機器の切タイマや入タイマがワンタッチ操作で設定可能であるため、特に高齢者の居る一般家庭で使用される空気調和機のみならず、暖房装置（ファンヒータ）や空気清浄器それに加湿器やテレビ，ラジオなどの家電機器に広く適用できる。
【図面の簡単な説明】
【００５１】
【図１】本発明の実施形態として本発明が適用された空気調和機の制御装置を示す概略的なブロック図。
【図２】切タイマ設定時の動作を説明する概略的なフローチャート。
【図３】入タイマ設定時の動作を説明する概略的なフローチャート。
【符号の説明】
【００５２】
１  室内機側制御回路
１ａ  タイマ部
１ｂ  カウンタ部
２  室外機側制御回路
３  リモコン
３ａ  切タイマボタン
３ｂ  入タイマボタン
５  人検知センサ
８  本体表示部
９  ブザー
【図１】
2005214480.tif 000003
【図２】
2005214480.tif 000004
【図３】
2005214480.tif 000005